(57)【要約】  【課題】遊技機の発射ハンドルの固定を困難にする。  【解決手段】  接続部Ｐに硬貨などの異物を挟み込めば、回動部３６を支柱部３４に対して固定することが出来るのだが、カバー体３８により接続部Ｐが覆われているので、接続部Ｐに異物を挟み込むことができない。タッチ部４１とカバー体３８の隙間に異物を挟み込んでも、カバー体３８自体が支柱部３４や発射ハンドル取り付け部４６に対して自由に回動するため、この固定状態は不安定であり、回動部３６の回動角度を維持するのは困難である。【選択図】    図７
2010227212.tif 000002
【特許請求の範囲】
【請求項１】
遊技機に突設され、遊技者によって回動操作を受けることにより、遊技球の発射力を調整する遊技機の発射ハンドルにおいて、
前記遊技機に固定される基礎部と、該基礎部に対して回動可能に支持される回動部と、
少なくとも、前記基礎部および前記回動部の接続箇所を覆う略筒状部材であって、前記回動部の回動とは独立に該回動部および前記基礎部の周りで回動可能なカバー体と、
を備えたことを特徴とする遊技機の発射ハンドル。
【請求項２】
前記回動部の回動軸に垂直な任意断面の外形が、前記基礎部、前記回動部とも前記回動軸を中心とする円であり、
前記カバー体の、前記回動軸に垂直な断面の内周が、対応する位置の前記基礎部、前記回動部の外径よりも直径が大きな円である
ことを特徴とする請求項１に記載の遊技機の発射ハンドル。
【請求項３】
前記基礎部が略円柱状の部材であり、前記回動部の少なくとも前記接続箇所の近傍が、円柱状に形成された部材であることを特徴とする請求項２に記載の遊技機の発射ハンドル。
【請求項４】
前記基礎部が、
前記遊技機において平面状に形成された取り付け面に、垂直に突設されるものであり、
前記回動部が、
略円柱状の軸部と、
前記カバー体の前記断面の外周の更に外側に外周を持つ平面であって、且つ前記取り付け面に平行に対向する対向面を有し、該対向面にて前記軸部に固定され、前記遊技者に直接回動操作を受ける操作部と
を備え、
前記対向面と前記取り付け面の距離から前記カバー体の軸方向の長さを引いた値は、前記軸部の外径を、前記カバー体の、該軸部を覆う側の端面の内径から引いた値よりも小さいことを特徴とする請求項３に記載の遊技機の発射ハンドル。
【請求項５】
前記基礎部が、
前記遊技機において平面状に形成された取り付け面に、垂直に突設されるものであり、
前記回動部が、
略円柱状の軸部と、
前記カバー体の前記断面の外周の更に外側に外周を持つ平面であって、且つ前記取り付け面に平行に対向する対向面を有し、該対向面にて前記軸部に固定され、前記遊技者に直接回動操作を受ける操作部と
を備え、
前記対向面と前記取り付け面の距離から前記カバー体の軸方向の長さを引いた値は、前記基礎部の外径を、前記カバー体の、該基礎部を覆う側の端面の内径から引いた値よりも小さいことを特徴とする請求項３または４に記載の遊技機の発射ハンドル。
【請求項６】
前記カバー体が、
フランジと、
該フランジに関して前記取り付け面側に位置する円筒状部材である取付側円筒部と、
前記フランジに関して前記回動部側に位置する円筒状部材である回動側円筒部と、
を有するものであり、
前記取付側円筒部に外嵌される円筒状部材であって該取付側円筒部の軸方向長さよりも長い軸方向長さを有する第２カバー体と、
前記回動側円筒部に外嵌される円筒状部材であって該回動側円筒部の軸方向長さよりも長い軸方向長さを有する第３カバー体と、
を有することを特徴とする請求項３から５のいずれかに記載の遊技機の発射ハンドル。
【請求項７】
前記対向面と前記取り付け面の距離から、前記第２カバー体の軸方向の長さと、前記フランジの軸方向の長さと、前記第３カバー体の軸方向の長さとを引いた値は、前記第３カバー体の内径から前記回動側円筒部の外径を引いた値よりも小さいことを特徴とする請求項６に記載の遊技機の発射ハンドル。
【請求項８】
前記対向面と前記取り付け面の距離から、前記第２カバー体の軸方向の長さと、前記フランジの軸方向の長さと、前記第３カバー体の軸方向の長さとを引いた値は、前記第２カバー体の内径から前記取付側円筒部の外径を引いた値よりも小さいことを特徴とする請求項６または７に記載の遊技機の発射ハンドル。
【発明の詳細な説明】
【技術分野】
【０００１】
本発明は、遊技球を弾球遊技機の遊技盤に打ち出す際に遊技者が操作する発射ハンドルに関するものである。
【背景技術】
【０００２】
弾球遊技機（以下、遊技機という）においては、遊技盤に遊技球を打ち出す際には発射ハンドルが用いられる（例えば特許文献１）。遊技者はこの発射ハンドルを回動させることにより、発射力を調節し、遊技盤内の所望の箇所に遊技球を到達させ、賞球を狙ったり、図柄変動を行なわせたりする。
【先行技術文献】
【特許文献】
【０００３】
【特許文献１】特開２００１−１７０２６７
【発明の概要】
【発明が解決しようとする課題】
【０００４】
発射ハンドルの回動される部材と、この部材を固定する部材との隙間に硬貨などの異物を挟み込み、発射ハンドルを固定するといった不正行為が行なわれることがある。このようにして発射力を一定にする行為は禁止されており、遊技球が入賞口に入球するか否かの遊技であるパチンコ遊技機にとっては遊技の公正を害することに値する。また、異物を挟み込むことにより、発射ハンドルの部品が破損することもある。
本発明は係る課題に鑑みなされたものであり、発射ハンドルの固定を困難にすることを目的とする。
【課題を解決するための手段】
【０００５】
上記課題を解決するためになされた請求項１に記載の本発明は、遊技機に突設され、遊技者によって回動操作を受けることにより、遊技球の発射力を調整する遊技機の発射ハンドルにおいて、前記遊技機に固定される基礎部と、該基礎部に対して回動可能に支持される回動部と、少なくとも、前記基礎部および前記回動部の接続箇所を覆う略筒状部材であって、前記回動部の回動とは独立に該回動部および前記基礎部の周りで回動可能なカバー体とを備えたことを特徴とする。
なお、基礎部は遊技機と一体に形成しても構わない。
【０００６】
請求項２に記載の本発明は、請求項１に記載の遊技機の発射ハンドルにおいて、前記回動部の回動軸に垂直な任意断面の外形が、前記基礎部、前記回動部とも前記回動軸を中心とする円であり、前記カバー体の、前記回動軸に垂直な断面の内周が、対応する位置の前記基礎部、前記回動部の外径よりも直径が大きな円であることを特徴とする。
【０００７】
なお、カバー体は「少なくとも基礎部と回動部の接続箇所を覆うもの」であるから、基礎部の一部、および回動部の一部を必ず覆うことになる（可能であれば基礎部や回動部の全体を覆っても構わない）。すなわちカバー体には、前記「基礎部の一部」を覆う部位と、前記「回動部の一部」を覆う部位とが存在することになる。従って「前記カバー体の、前記回動軸に垂直な断面の内周が、対応する位置の前記基礎部、前記回動部の外径よりも大きな円である」とは、基礎部をカバー体とともに回動軸に垂直な断面で切断すると、カバー体の内径は、基礎部の部位の外径よりも大きく、また、回動部をカバー体とともに回動軸に垂直な断面で切断すると、カバー体の内径は、回動部の外径よりも大きいことを指す。なお、これらの内径および外径は、断面の位置によってまちまちであって構わない。
【０００８】
請求項３に記載の本発明は、請求項２に記載の遊技機の発射ハンドルにおいて、前記基礎部が略円柱状の部材であり、前記回動部の少なくとも前記接続箇所の近傍が、円柱状に形成された部材であることを特徴とする。
なお、略円柱状とは、外観が円柱の体をなしていればよく、例えば、後述するハンドル軸を内蔵するために中空の構造をしていても構わないし、断面の外周を、円周に所々くぼみや切欠が形成された形状にしたものも含まれる。また、「近傍」とは、カバー体により覆われる箇所であるが、カバー体に覆われない箇所（例えば回動部の全体）まで略円柱状としてもよい。また、回動部の接続箇所の近傍および基礎部は、共に略円柱状であるが、両者の外径や軸方向長さは互いに異なっていても良い。なお、本請求項の主旨には反するが、カバー体の回動を妨げない範囲で基礎部や回動部の断面を円ではなくしてもよい。
【０００９】
請求項４に記載の本発明は、請求項３に記載の遊技機の発射ハンドルにおいて、前記基礎部が、前記遊技機において平面状に形成された取り付け面に、垂直に突設されるものであり、前記回動部が、略円柱状の軸部と、前記カバー体の前記断面の外周の更に外側に外周を持つ平面であって、且つ前記取り付け面に平行に対向する対向面を有し、該対向面にて前記軸部に固定され、前記遊技者に直接回動操作を受ける操作部とを備え、前記対向面と前記取り付け面の距離から前記カバー体の軸方向の長さを引いた値は、前記軸部の外径を、前記カバー体の、該軸部を覆う側の端面の内径から引いた値よりも小さいことを特徴とする。
本請求項において軸部は、操作部と共に回動されることになる。なお、軸部と操作部は別々の部材として構成して互いに固着してもよいし、一体成形してもよい。また、「前記対向面と前記取り付け面の距離から前記カバー体の軸方向の長さを引いた値は、前記カバー体の内径から前記軸部の外径を引いた値よりも小さい」とは、カバー体を取り付け面側に寄せた際に、対向面とカバー体との間に空く隙間が、カバー体と軸部との間に空く隙間よりも小さいことを意味している。なお、カバー体の前記断面が円であることから、カバー体の端面も、軸部側・基礎部側に関わらず円である。そして軸部が円柱状であることから、両者の間に開く隙間は軸部を覆う側の端面においても部位によって大きさが異なることになる（前記端面において、カバー体と軸部が接している点では隙間はゼロであり、この点と回動軸に関して対称な点では隙間は最大となる）が、ここでは最大の隙間を指すこととする。
請求項５に記載の本発明は、請求項３または４に記載の遊技機の発射ハンドルにおいて、前記基礎部が、前記遊技機において平面状に形成された取り付け面に、垂直に突設されるものであり、前記回動部が、略円柱状の軸部と、前記カバー体の前記断面の外周の更に外側に外周を持つ平面であって、且つ前記取り付け面に平行に対向する対向面を有し、該対向面にて前記軸部に固定され、前記遊技者に直接回動操作を受ける操作部とを備え、前記対向面と前記取り付け面の距離から前記カバー体の軸方向の長さを引いた値は、前記基礎部の外径を、前記カバー体の、該基礎部を覆う側の端面の内径から引いた値よりも小さいことを特徴とする。
本請求項においても軸部は、操作部と共に回動されることになる。また前述のようにカバー体の基礎部側の端面は円であり、基礎部が円柱状であることから、両者の間に開く隙間は、基礎部を覆う側の端面においても部位によって大きさが異なることになるが、軸部を覆う側と同様に、ここでは最大の隙間を指すこととする。
【００１０】
請求項６に記載の本発明は、請求項３から５のいずれかに記載の遊技機の発射ハンドルにおいて、前記カバー体が、フランジと、該フランジに関して前記取り付け面側に位置する円筒状部材である取付側円筒部と、前記フランジに関して前記回動部側に位置する円筒状部材である回動側円筒部とを有するものであり、前記取付側円筒部に外嵌される円筒状部材であって該取付側円筒部の軸方向長さよりも長い軸方向長さを有する第２カバー体と、前記回動側円筒部に外嵌される円筒状部材であって該回動側円筒部の軸方向長さよりも長い軸方向長さを有する第３カバー体とを有することを特徴とする。
【００１１】
つまり、このカバー体は、取付側円筒部、フランジ、および回動側円筒部をこの順で並べたものを主要部とする筒状部材となっている。なお、通常、こうした部材の形状は、「円筒状部材の軸方向の中ほど（中央よりいずれか一方に偏っていても構わない）にフランジを設けた」と表現するのが一般的かもしれないが、本発明においては、フランジによって円筒状部材が、取付側円筒部と回動側円筒部とに分けられているとみなすことにする。また、フランジも含めて円筒状部材とみなすものとする。尚、フランジは１つでなくてもよい。フランジが複数ある場合は、最も回動部寄りにあるフランジから最も取り付け面寄りにあるフランジまでを一つのフランジとみなすことにする。従って、最も回動部寄りにあるフランジから回動部側に位置する円筒部が回動側円筒部、最も取り付け面寄りにあるフランジから取り付け面側に位置する円筒部が取付側円筒部となる（他の請求項においても同様）。
【００１２】
請求項７に記載の本発明は、請求項６に記載の遊技機の発射ハンドルにおいて、前記対向面と前記取り付け面の距離から、前記第２カバー体の軸方向の長さと、前記フランジの軸方向の長さと、前記第３カバー体の軸方向の長さとを引いた値は、前記第３カバー体の内径から前記回動側円筒部の外径を引いた値よりも小さいことを特徴とする。
ここで、フランジが複数存在する場合における「フランジの軸方向の長さ」とは、最も回動部よりにあるフランジの回動部側の端面から、最も取り付け面よりにあるフランジの取り付け面側の端面までの長さを指す。
請求項８に記載の本発明は、請求項６または７に記載の遊技機の発射ハンドルにおいて、前記対向面と前記取り付け面の距離から、前記第２カバー体の軸方向の長さと、前記フランジの軸方向の長さと、前記第３カバー体の軸方向の長さとを引いた値は、前記第２カバー体の内径から前記取付側円筒部の外径を引いた値よりも小さいことを特徴とする。
【発明の効果】
【００１３】
請求項１に記載の遊技機の発射ハンドルによれば、回動部と基礎部の接続箇所がカバー体で覆われているため、接続箇所に異物を挟み込むことにより、回動部を基礎部に対して固定することが困難である。敢えて固定を試みても、カバー体を回動部に対して固定するだけでは、カバー体が回動部とは独立に回動してしまうので不十分である。従って、更にこのカバー体を基礎部に対して固定する必要があるが、これでは固定する箇所が２箇所となり、しかもどちらか一方の固定が不十分であっても、回動部は基礎部に対して回動可能となるので、接続箇所に異物を挟みこんで固定した場合に比べ、固定状態が不安定となる。従って、回動部を基礎部に対して固定するのを防止する効果がある。
【００１４】
請求項２に記載の遊技機の発射ハンドルによれば、回動部および基礎部の断面（回動部が回動される軸に垂直な断面。以下、単に断面という）が円となっており、またこれに外嵌されるカバー体の断面の内径が、対応する位置の基礎部、または回動部の外径よりも直径が大きな円形にされている。これにより、回動部が基礎部に対して回動可能であり、なおかつカバー体は、回動部と基礎部の接続箇所を覆いつつ、回動部の回動とは独立に回動可能な構成を、前記したような簡素な形状により実現できる。
【００１５】
請求項３に記載の遊技機の発射ハンドルによれば、請求項２においては、部位によってまちまちでも構わなかった基礎部の外径を一定とし、回動部についても接続箇所の近傍はその外径を一定としたものに相当する。ただし、基礎部の外径と回動部の接続箇所の近傍の外径は互いに同一である必要は無い。これにより、基礎部および回動部を製造することが一層容易となる。また、カバー体も、これら２体の円柱状部材（回動部については接続部の近傍）に外嵌される円形の断面を有する筒状の部材であるので、製造が比較的容易となる。
請求項４に記載の遊技機の発射ハンドルによれば、操作部の対向面の外周が、カバー体の断面の外周よりも外側に位置するため、カバー体を容易に取り外すことができない。また、カバー体と対向面との隙間から針金や板金のように容易に変形する異物を挿入し、この異物をカバー体と軸部の間に挟み込んでカバー体を軸部に対して固定しようとしても、対向面とカバー体との間に開く隙間が、カバー体と軸部との間に開く隙間よりも小さいので、異物をカバー体と軸部の間に挟み込むのは非常に困難である。
請求項５に記載の遊技機の発射ハンドルにおいても、操作部の対向面の外周が、カバー体の断面の外周よりも外側に位置するため、カバー体を容易に取り外すことができない。また、カバー体と取り付け面との隙間から容易に変形する異物を挿入し、この異物をカバー体と基礎部の間に挟み込んで、カバー体を基礎部に対して固定しようとしても、取り付け面とカバー体との間に開く隙間が、カバー体と基礎部との間に開く隙間よりも小さいので、異物をカバー体と基礎部の間に挟み込むのは非常に困難である。
【００１６】
請求項６に記載の遊技機の発射ハンドルによれば、カバー体は、フランジを除き、第２カバー体および第３カバー体により覆われることとなる。従って、前記のようにカバー体を対向面や取り付け面に対して固定することがより一層困難となる。この発射ハンドルの固定を試みると、まず対向面に対して第３カバー体を固定し、この第３カバー体をフランジ（カバー体）に対して固定し、このフランジを第２カバー体に対して固定し、更に第２カバー体を取り付け面または基礎部に対して固定することになる。つまり４箇所も固定する必要があり、非常に煩わしく且つ困難である。仮に固定できたとしても、この固定状態は非常に不安定（すなわち４箇所の固定のうち１箇所でも固定状態が解けると、回動部は回動可能となる）である。
また、第２カバー体の軸方向長さ（以下、単に長さともいう）は取付側円筒部より長く、かつ第３カバー体の長さは軸部より長く構成されている。これにより、第２カバー体を取り付け面に当接させ、且つフランジを第２カバー体に当接させ、更に第３カバー体をフランジに当接させると、第３カバー体と対向面との間の隙間が、同状態における対向面と回動側円筒部の間の隙間よりも小さくなる。よって、第３カバー体と対向面の隙間から異物を挿入し、回動側円筒部と対向面（回動部）とを固定することも困難であり、また第２カバー体と取り付け面の隙間から異物を挿入し、取付側円筒部と取り付け面とを固定することも困難である。
【００１７】
請求項７に記載の遊技機の発射ハンドルにおいて、第３カバー体と対向面の隙間から針金や板金のように容易に変形する異物を挿入し、この異物を第３カバー体と回動側円筒部の間に挟み込むことにより、第３カバー体を回動側円筒部に対して固定しようとしても、対向面と第３カバー体との間に開く隙間が、第３カバー体と回動側円筒部との間に開く隙間よりも小さいので、異物を第３カバー体と回動側円筒部の間に挟み込むのは非常に困難である。
【００１８】
請求項８に記載の遊技機の発射ハンドルにおいて、第２カバー体と取り付け面の隙間から針金や板金のように容易に変形する異物を挿入し、この異物を第２カバー体と取付側円筒部の間に挟み込むことにより、第２カバー体を取付側円筒部に対して固定しようとしても、取り付け面と第２カバー体との間に開く隙間が、第２カバー体と取付側円筒部との間に開く隙間よりも小さいので、異物を第２カバー体と取付側円筒部の間に挟み込むのは非常に困難である。
【図面の簡単な説明】
【００１９】
【図１】パチンコ遊技機５０の正面図。
【図２】パチンコ遊技機５０の裏面図。
【図３】パチンコ遊技機５０の電気的構成を示すブロック図。
【図４】実施例１の発射ハンドル６４の分解斜視図。
【図５】実施例１の発射ハンドル６４の左側面図。
【図６】実施例１の発射ハンドル６４がパチンコ機５０に取り付けられる様子を示す斜視図。
【図７】実施例１の発射ハンドル６４の右断面図。
【図８】図８の部分拡大図。
【図９】実施例２の発射ハンドル６４の分解斜視図。
【図１０】実施例２の発射ハンドル６４の左側面図。
【図１１】実施例２の発射ハンドル６４の右断面図。
【図１２】図１１の部分拡大図。
【発明を実施するための形態】
【００２０】
以下に本発明の好適な実施形態について説明する。尚、本発明の実施の形態は下記の実施例に何ら限定されるものではなく、本発明の技術的範囲に属する種々の形態を採ることができ、各実施例に記載された内容を適宜組み合わせることが可能なことはいうまでもない。
［実施例１］
【００２１】
図１に示すように、弾球遊技機の一種であるパチンコ機５０は、縦長の固定外郭保持枠をなす外枠５１にて構成の各部を保持する構造である。外枠５１の左側上下には、ヒンジ５３が設けられており、該ヒンジ５３の他方側には図３に記載する内枠７０が取り付けられており、内枠７０は外枠５１に対して開閉可能な構成になっている。前枠５２には、板ガラス６１が取り外し自在に設けられており、板ガラス６１の奥には遊技盤が内枠７０に取り付けられている。
【００２２】
前枠５２の上側左右及び外枠下側左右には、スピーカ６６が設けられており、パチンコ機５０から発生する遊技音が出力され、遊技者の趣向性を向上させる。また、遊技者の趣向性を向上させるために前枠５２に遊技状態に応じて発光する枠側装飾ランプ６５も複数設けられている。
前枠５２の下方には、上皿５５と下皿６３が一体に形成されている。下皿６３の右側には発射ハンドル６４が取り付けられており、発射ハンドル６４を時計回りに回動操作することによって発射装置（図示省略）が可動して、上皿５５から供給された遊技球が遊技盤に向けて発射される。
【００２３】
下皿６３の左側には、遊技者が操作可能な演出ボタン６７が備えられており、遊技者が所定期間中に、該演出ボタン６７を操作することで後述する演出図柄表示装置６（図３を参照）に表示される内容が変化したり、スピーカ６６より出力される遊技音が変化したりする。
また、このパチンコ機５０はいわゆるＣＲ機であって、プリペイドカードの読み書き等を行うためのプリペイドカードユニット（ＣＲユニット）５６が付属しており、パチンコ機５０には、球貸スイッチ５７、返却スイッチ５８及び残高表示器５９を有するＣＲ精算表示装置が備わっている。
【００２４】
図２に示すように、パチンコ機５０の裏側は、前述した遊技盤を脱着可能に取り付ける内枠７０が前述した外枠５１に収納されている。この内枠７０には、上方から、球タンク７１、タンクレール７２及び払出装置７３が設けられている。この構成により、遊技盤上の入賞口に遊技球の入賞があれば球タンク７１からタンクレール７２を介して所定個数の遊技球を払出装置７３により前述した上皿５５に排出することができる。
また、パチンコ機５０の裏側には（図３も参照のこと）、主制御装置８０、払出制御装置８１、演出図柄制御装置８２、サブ統合制御装置８３、発射制御装置８４、電源基板８５が設けられている。
【００２５】
主制御装置８０、演出図柄制御装置８２、サブ統合制御装置８３は遊技盤に設けられており、払出制御装置８１、発射制御装置８４、電源基板８５が内枠７０に設けられている。なお、図２では、発射制御装置８４が描かれていないが、発射制御装置８４は払出制御装置８１の下に設けられている。また、球タンク７１の右側には、外部接続端子板７８が設けられており、この外部接続端子板７８より、遊技状態や遊技結果を示す信号が図示しないホールコンピュータ８７に送られる。なお、従来はホールコンピュータ８７へ信号を送信するための外部接続端子板には、盤用（遊技盤側から出力される信号をホールコンピュータ８７へ出力するための端子）と枠用（（枠側（前枠５２、内枠７０、外枠５１）から出力される信号をホールコンピュータ８７へ出力するための端子）の２種類を用いているが、本実施例では、一つの外部接続端子板７８を介してホールコンピュータ８７へ遊技状態や遊技結果を示す信号を送信している。
【００２６】
このパチンコ機５０の電気的構成は、図３のブロック図に示すとおり、主制御装置８０を中心にして構成されている。なお、このブロック図には電源回路は記載していない。また、詳細の図示は省略するが、主制御装置８０、払出制御装置８１、演出図柄制御装置８２、サブ統合制御装置８３のいずれもＣＰＵ、ＲＯＭ、ＲＡＭ、入力ポート、出力ポート等を備えているが、本実施例では発射制御装置８４、電源基板８５にはＣＰＵ、ＲＯＭ、ＲＡＭは設けられていない。しかし、これに限るわけではなく、発射制御装置８４にＣＰＵ、ＲＯＭ、ＲＡＭ等を設けてもよい。主制御装置８０には、遊技盤に設けられた第１始動口に入球した遊技球を検出する第１始動口スイッチ１１ａ、第２始動口に入球した遊技球を検出する第２始動口スイッチ１２ａ、普通図柄作動ゲートに進入した遊技球を検出する普通図柄作動スイッチ１７ａ、大入賞口に入球した遊技球を計数するためのカウントスイッチ１４ａ、左入賞口に入球した遊技球を検出する左入賞口スイッチ３１ａ、右入賞口に入球した遊技球を検出する右入賞口スイッチ３３ａなどの検出信号が遊技盤中継端子板７４を介して入力される。
【００２７】
主制御装置８０は搭載しているプログラムに従って動作して、上述の検出信号などに基づいて遊技の進行に関わる各種のコマンドを生成して払出制御装置８１及びサブ統合制御装置８３に出力する。また主制御装置８０は、図柄表示装置中継端子板９０を介して接続されている第１特別図柄表示装置９、第２特別図柄表示装置１０、及び普通図柄表示装置７の表示、第１特別図柄保留数表示装置１８、第２特別図柄保留数表示装置１９及び普通図柄保留数表示装置８の点灯を制御する。
【００２８】
更に、主制御装置８０は、遊技盤中継端子板７４を介して大入賞口ソレノイド１４ｂを制御することで大入賞口の開閉を制御し、普電役物ソレノイド１２ｂを制御することで第２始動口の開閉を制御する。なお、普電役物とは普通電動役物を示す。主制御装置８０からの出力信号は、上記のほかにも試験信号端子や、図柄変動や大当たり等の管理用の信号が外部接続端子板７８に出力されてホールコンピュータ８７に送られる。
【００２９】
主制御装置８０と払出制御装置８１とは双方向通信が可能にされており、払出制御装置８１は、主制御装置８０から送られてくるコマンドに応じて払出モータ２０を稼働させて賞球を払い出させる。図３の構成では、払出制御装置８１は裏配線中継端子板７５と払出中継端子板７６を介して払出モータ２０を制御する構成である。また、本実施例においては、賞球として払い出される遊技球を計数するための払出スイッチ２１の検出信号は払出制御装置８１に入力され、払出制御装置８１で賞球の計数が行われる構成を用いる。この他にも主制御装置８０と払出制御装置８１に払出スイッチ２１の検出信号が入力され、主制御装置８０と払出制御装置８１の双方で賞球の計数を行う構成を用いることも考えられる。
【００３０】
なお、払出制御装置８１は満杯スイッチ２２、球切れスイッチ２３からの信号が入力される構成で、満杯スイッチ２２により下皿６３が満タンであることを示す信号が入力された場合及び球切れスイッチ２３により球タンク７１に遊技球が少ないあるいは無いことを示す信号が入力されると払出モータ２０を停止させ、賞球の払出動作を停止させる。なお、満杯スイッチ２２、球切れスイッチ２３も、その状態が解消されるまで信号を出力し続ける構成になっており、払出制御装置８１は、その信号が出力されなくなることに起因して払出モータ２０の駆動を再開させる。
【００３１】
また、払出制御装置８１はＣＲユニット端子板２４を介してＣＲユニット５６と交信することで払出モータ２０を作動させ、貸し球を排出する。払出された貸し球は払出スイッチ２１に検出され、検出信号は払出制御装置８１に入力される。なお、ＣＲユニット端子板２４は精算表示装置２５とも双方向通信可能に接続されており、精算表示装置２５には、遊技球の貸出しを要求するための球貸スイッチ５７、精算を要求するための返却スイッチ５８、残高表示器５９が接続されている。
【００３２】
また、払出制御装置８１は、外部接続端子板７８を介して賞球に関する情報、枠（内枠７０、前枠５２）の開閉状態を示す情報などをホールコンピュータ８７に送信するほか、発射制御装置８４に対して発射停止信号を送信する。発射制御装置８４は発射モータ３０を制御して、遊技球を遊技領域３に遊技球を発射させる。なお、発射制御装置８４には払出制御装置８１以外に発射ハンドル６４からの回動量信号、タッチスイッチ２８からのタッチ信号、発射停止スイッチ２９から発射停止スイッチ信号が入力される。
回動量信号は、遊技者が発射ハンドル６４を操作することで出力され、タッチ信号は遊技者が発射ハンドル６４を触ることで出力され、発射停止スイッチ信号は、遊技者が発射停止スイッチ２９を押すことで出力される。なお、タッチ信号が発射制御装置８４に入力されていなければ、遊技球は発射できないほか、発射停止スイッチ信号が入力されているときには、遊技者が発射ハンドル６４を触っていても遊技球は発射出来ないようになっている。
【００３３】
サブ統合制御装置８３は、主制御装置８０から送信されてくるデータ及びコマンドを受信し、それらを演出表示制御用、音制御用及びランプ制御用のデータに振り分けて、演出表示制御用のコマンド等は演出図柄制御装置８２に送信し、音制御用及びランプ制御用は自身に含まれている各制御部位（音声制御装置及びランプ制御装置としての機能部）に分配する。そして、音声制御装置としての機能部は、音声制御用のデータに基づいて音ＬＳＩを作動させることによってスピーカ６６からの音声出力を制御し、ランプ制御装置としての機能部はランプ制御用のデータに基づいてランプドライバを作動させることによって各種ＬＥＤや各種ランプを制御する。なお、音声出力に関しては、音量調整スイッチ８３ａにて音量を調節することができる。
また、サブ統合制御装置８３には、演出ボタン６７が接続されており、遊技者が演出ボタン６７を操作した際には、その信号がサブ統合制御装置８３に入力される。
【００３４】
サブ統合制御装置８３と演出図柄制御装置８２とは双方向通信が可能にされており、  演出図柄制御装置８２は、サブ統合制御装置８３から受信したデータ及びコマンド（共に主制御装置８０から送信されてきたものとサブ統合制御装置８３が生成したものとがある）に基づいて演出図柄表示装置６を制御して、疑似図柄等の演出画像を画面６ａに表示させる。
【００３５】
図４に発射ハンドル６４の分解斜視図を示す。発射ハンドル６４は、外枠５１にハンドル取り付け部（後述）を介して固定される略円柱状の支柱部３４と、該支柱部３４に対して回動可能に取り付けられる回動リング３５と、該回動リング３５が固定される回動部３６と、支柱部３４に外嵌される円筒状のカバー体３８とを主要部として構成されている。
【００３６】
支柱部３４内には、回動リング３５に固定されたハンドル軸４０が挿通されている。回動部３６は、遊技者が直接触れるタッチ部４１と、支柱部３４と共にカバー体３８に外嵌される円筒状の軸部４３を備えている。軸部４３の外径は、支柱部３４の外径と同じにされている。また、カバー体３８の内径は、これら両者の外径よりもやや大きく（詳しくは後述）されており、これによりカバー体３８が軸部４３および支柱部３４に対してその軸周りに自由に回動するように構成されている。
【００３７】
遊技者が回動部３６を回動させると、回動部３６に固定された回動リング３５が回動し、ハンドル軸４０を介してその回動角度が発射制御装置８４に伝達される。なお、こうして回動された回動リング３５は、遊技者が手を離すとばね４４の付勢を受けて元の回動角度まで戻る。
図５に発射ハンドル６４の左側面図を示す。発射ハンドル６４の図１において左側には、発射停止ボタン２９ａが設けられている。この発射停止ボタン２９ａを押すと発射停止スイッチ２９が作動して、回動部３６の回動角度に関わらず、遊技球の発射が停止される。また本図において発射ハンドル６４の左端にはハンドル軸４０と一体に回動される連結部４５が設けられている。
図６（ａ）の斜視図に示すように、発射ハンドル取り付け部４６には円形の穴４６ａが形成されており、この穴４６ａに発射ハンドル６４の支柱部３４を嵌合させて図６（ｂ）のように固定する。連結部４５は、穴４６ａの座繰り面に形成された穴４６ｂに挿入され、回動部３６の回動角度を発射制御装置８４に伝達する。
【００３８】
図７は、図６（ｂ）の状態の発射ハンドル６４をその軸に沿って発射ハンドル取り付け部４６と共に切断した様子を示す断面図である。本図に示すようにカバー体３８の軸方向長さは、軸部４３の同方向の長さよりも長く、また支柱部３４の同方向の長さ（より詳しくは、発射ハンドル取り付け部４６から接続部Ｐまでの長さ）よりも長くされている。そしてカバー体３８は、回動部３６（特に軸部４３）と支柱部３４の接続部Ｐを覆っている。回動部３６は支柱部３４に対して回動されるので、この接続部Ｐに硬貨などの異物を挟み込めば、回動部３６を固定することが出来るのだが、カバー体３８により接続部Ｐが覆われているので、接続部Ｐに異物を挟み込むことができない。回動部３６を支柱部３４に対して固定する方法として、例えば、タッチ部４１とカバー体３８の隙間（本図において符号Ｑで表す部位）に異物を挟み込むことが考えられる。しかし、カバー体３８が支柱部３４や発射ハンドル取り付け部４６に対して自由に回動するため、これだけでは回動部３６を支柱部３４に対して固定したことにならない。従って、Ｑ部に異物を挟み込むに加え、カバー体３８と発射ハンドル取り付け部４６の隙間（本図において符号Ｒで表す部位）にも異物を挟み込む必要がある。だが、これは回動部３６を、カバー体３８という回動自在の部材を介して支柱部３４に対して固定することになる。従って、この固定状態は不安定であり、遊技中に継続的に回動部３６の回動角度を維持するのは困難である。
【００３９】
しかもこの固定状態の不安定さを解消するのも困難となっている。この理由について図８を用いて説明する。図８（ａ）は図７のＱ部を拡大したもの、図８（ｂ）は図７のＲ部を拡大したものである。なお、図７もそうであるが、図８においては、カバー体３８が重力によりその内周面が支柱部３４および軸部４３の上部に当接した状態となっている。この結果、図８（ａ）に示すように、軸部４３の下部とカバー体３８の内周面との間には隙間Ｙがあく。図８（ｂ）に示すＲ部についても同様であり、支柱部３４の下部とカバー体３８の内周面との間にも隙間Ｙがあく。カバー体３８の、本図において左端面３８ａとタッチ部４１の同右端面４１ａの隙間をＸとし、カバー体３８の、右端面３８ｂと発射ハンドル取り付け部４６の隙間をＸ’とすると、Ｘ＋Ｘ’＜Ｙの関係が成立するように、軸部４３の外径、支柱部３４の外径、カバー体３８の長さおよび内径が設定されている。
【００４０】
例えばカバー体３８の右端面３８ｂを発射ハンドル取り付け部４６に当接させることにより、タッチ部４１の右端面４１ａとカバー体３８の左端面３８ａの隙間を極力大きくしたとする。この隙間から板金や針金のように曲がりやすい異物を挿入することにより、この異物をカバー体３８の内周面と軸部４３の外周面（特に軸部４３の下側の面）に挟み込もうとすると、Ｘ＋Ｘ’よりも小さい異物を挿入することになる。この異物を、Ｘ＋Ｘ’よりも大きな隙間であるＹに挿入しても固定できない。
なお、タッチ部４１の右端面４１ａの外周は、カバー体３８の外周をなす円よりも大きく形成されており、カバー体３８を引き抜くこともできない。また、発射ハンドル取り付け部４６は図６（ｂ）に示したようにカバー体３８の外周よりも大きくされている。
［実施例２］
【００４１】
本発明の第２の実施例について図９〜１２を用いて説明する。なお、本実施例２は、前記実施例１の発射ハンドル６４と共通点が多いため、混乱を招かないものについては同じ部品名および符号を用いて説明し、同じ作用・働きをするものは説明を省略する。
図９に実施例２の発射ハンドル６８の分解斜視図を示す。発射ハンドル６８においてカバー体は、３体の部品からなる。すなわち、直接、支柱部３４に外嵌される円筒状の第１カバー体７７と、該第１カバー体７７から見て連結部４５（図５、図１０参照）側に外嵌される円筒状の第２カバー体８６と、第１カバー体７７から見て回動部３６側に外嵌される円筒状の第３カバー体７９とから構成されている。
【００４２】
第１カバー体７７にはその軸方向略中央にフランジ９１が形成されており、該フランジ９１により第１カバー体７７の外周面は、連結部４５側の円筒部８８と、回動部３６側の円筒部８９とに分割されている。該円筒部８９に第２カバー体８６が、円筒部８８に第３カバー体７９が、それぞれの軸周りに回動可能に外嵌される。なお、以降、円筒部８９および円筒部８８を、それぞれに外嵌されるカバー体の数字に倣い、それぞれ第２円筒部８９および第３円筒部８８と呼ぶ。
第２円筒部８９および第３円筒部８８の外径および内径は、互いに同じにされており、特に内径は支柱部３４の外径よりもやや大きく（詳しくは後述）されている。これにより第１カバー体７７は、実施例１のカバー体３８と同様、軸部４３および支柱部３４に対してその軸周りに自由に回動するように構成されている。
【００４３】
第２カバー体８６および第３カバー体７９の外径および内径は、互いに同じにされており、内径は第２円筒部８９の外径（＝第３円筒部８８の外径）よりもやや大きく（詳しくは後述）されている。これにより第２カバー体８６は第２円筒部８９の軸周りに、第３カバー体７９は第３円筒部８８の軸周りに、それぞれ自由に回動するように構成されている。
図１０に発射ハンドル６８の左側面図を示す。フランジ９１の外径は、第３カバー体７９および第２カバー体８６の外径よりも大きくされている。発射ハンドル６８は実施例１の発射ハンドル６４と同様、その左側には、発射停止ボタン２９ａが設けられており、発射ハンドル６８の左端にはハンドル軸４０（図９参照）と一体に回動される連結部４５が設けられている。
【００４４】
図１１は、発射ハンドル取り付け部４６に取り付けた状態の発射ハンドル６８を、その軸に沿って切断した様子を示す断面図である。本図に示すように、回動部３６（特に軸部４３）と支柱部３４の接続部Ｐは、まず第１カバー体７７によって覆われている。これにより、実施例１と同様、接続部Ｐに異物を挟み込むことができない。そして発射ハンドル６８においては、回動部３６の固定が、実施例１の発射ハンドル６４よりも一層困難にされている。それは次のような理由による。まず、第３カバー体７９とタッチ部４１との間の隙間（例えば図１１において符号Ｓにて示す箇所）に異物を挟み込もうとしても、第３カバー体７９が第１カバー体７７に対して回動可能に構成されているので、タッチ部４１を第３カバー体７９に対して固定するのは困難である。次に、これに加えて、第３カバー体７９を第１カバー体７７に対して固定することを試みても、第１カバー体７７自体が支柱部３４に対して回動可能に構成されているので、第３カバー体７９を第１カバー体７７に対して固定するのも困難である。
【００４５】
ここで更に、第２カバー体８６を第１カバー体７７に対して何らかの方法で固定した上で、第２カバー体８６を発射ハンドル取り付け部４６に対して固定することを試みると、全体の固定状態は、次のようになる。すなわち、回動部３６を第３カバー体７９に対して固定し、第３カバー体７９を第１カバー体７７に対して固定し、更に第１カバー体７７を第２カバー体８６に対して固定した上で、第２カバー体８６を発射ハンドル取り付け部４６に対して固定することになる。この状態は、４箇所ある上記各固定を、よほど強固に行なわない限り非常に不安定である。すなわち、実施例１では（不安定とはいえ）２箇所で済んだ固定が、本実施例２の発射ハンドル６８では４箇所に増えているので、回動部３６を固定するのは非常に困難である。
【００４６】
これとは異なる固定方法として、例えば回動部３６を第１カバー体７７に対して固定し、第１カバー体７７を発射ハンドル取り付け部４６に対して固定することも考えられる。これなら固定箇所が２箇所で済むので、固定の困難さは実施例１の発射ハンドル６４と同程度まで減退するように見えるかもしれない。しかし本実施例２の発射ハンドル６８において、この方法にて回動部３６を固定するのは一層困難である。これについて図１２を用いて説明する。
【００４７】
図１２（ａ）は図１１のＳ部を拡大したものである。図８と同様、図１２においては、第１カバー体７７、第３カバー体７９と第２カバー体８６が、重力によりその内周面がそれぞれ支柱部３４および軸部４３の上部と第１カバー体７７の上部に当接した状態となっている。この結果、図１２（ａ）に示すように、軸部４３と第３円筒部８８の間に隙間Ｘ、第３円筒部８８と第３カバー体７９の間に隙間Ｙが空いている。なお、図１２（ａ）においては、第２カバー体８６を発射ハンドル取り付け部４６に当接させ、更に第１カバー体７７のフランジ９１を第２カバー体８６に当接させた状態となっている（図１１参照）。第２円筒部８９の軸方向の長さは、第２カバー体８６の同方向の長さよりも短くされており、第２カバー体８６を発射ハンドル取り付け部４６に当接することなく、第２円筒部８９（ひいては第１カバー体７７）を発射ハンドル取り付け部４６に当接することはできないように構成されている。
【００４８】
この状態では、第３カバー体７９の端面７９ａとタッチ部４１の端面４１ａとの間に隙間Ｚが空いているが、この隙間Ｚは、第３円筒部８８の端面８８ａとタッチ部４１の端面４１ａとの隙間Ｗよりも狭くされている。これは、第３円筒部８８の軸方向の長さが、第３カバー体７９の長さよりも短くされていることによる。従って、第３カバー体７９をフランジ９１に当接させた状態（本図１２（ａ）の状態）においても、隙間Ｚが隙間Ｗよりも広くなることはない。そしてこれにより、隙間Ｚから異物を挿入してタッチ部４１と第３円筒部８８を固定することを試みても、この異物として隙間Ｚ以下の寸法のものを用いることとなり、この異物を隙間Ｚよりも広い隙間Ｗに挟み込むことは難しく、タッチ部４１と第３円筒部８８を固定するのは極めて困難である。また、この異物として、針金や板金などの容易に曲がるものを用い、軸部４３と第３円筒部８８の隙間Ｘに挟み込むことも極めて困難である。なぜなら、軸部４３と第３円筒部８８の隙間Ｘは隙間Ｚよりも広く設計されているからである。以上により、軸部４３と第３円筒部８８を固定するのは極めて困難である。なお、補足であるが、第３円筒部８８と第３カバー体７９の隙間Ｙも、隙間Ｚより広く設計されている。従って、第３円筒部８８と第３カバー体７９の間に異物を挟みこむことも極めて困難となっている。
【００４９】
また、上記したように第２円筒部８９の軸方向の長さは、第２カバー体８６の長さよりも短くされているので、第２円筒部８９と発射ハンドル取り付け部４６の固定も極めて困難となっている。なお、発射ハンドル６８においては、第２円筒部８９の長さと、第２カバー体８６の長さの差は、第３円筒部８８の長さと、第３カバー体７９の長さの差と同じにされている。このため、第３カバー体７９の端面７９ａをタッチ部４１の端面４１ａに当接させると、図１２（ｂ）に示すように８９の端面８９ａと４６の間の隙間は図１２（ａ）に示した隙間Ｗと同じ広さとなる。また、同じ状態で、第２カバー体８６の端面８６ａと発射ハンドル取り付け部４６との隙間は当然、図１２（ａ）に示した隙間Ｚと同じ広さとなる。従って図１２（ｂ）に示した状態において、第２カバー体８６の端面８６ａと発射ハンドル取り付け部４６との隙間Ｚから異物を挿入して、第２円筒部８９と発射ハンドル取り付け部４６を固定するのも非常に困難である。以上のことから、回動部３６（タッチ部４１）を第１カバー体７７（第３円筒部８８）に対して固定し、第１カバー体７７（第２円筒部８９）を発射ハンドル取り付け部４６に対して固定することは、固定する箇所が２箇所で済むとはいえ、非常に困難であることが分かる。
【００５０】
また、上記したように第２円筒部８９および第３円筒部８８の外径および内径は、互いに同じにされているので、図１２（ｂ）における隙間Ｘ、ＹについてもＸ＞Ｚ、およびＹ＞Ｚが成立しており、同図に示した隙間Ｚから針金や板金などの容易に曲がる異物を挿入しても、支柱部３４に対して第２円筒部８９を固定したり、第２円筒部８９に対して第２カバー体８６を固定したりするのは極めて困難である。
以上説明したように、実施例２の発射ハンドル６８は、実施例１の発射ハンドル６４に比べ、回動部３６の固定が一層困難となっている。
【００５１】
［その他の実施例］
実施例１の発射ハンドル６４を次のように構成し直してもよい。軸部４３および支柱部３４は、ともに円柱状の外観をしていたが、これ以外の形状にしても本発明の主旨は成立する。例えば、支柱部３４の外観を円錐台状（発射ハンドル取り付け部４６側が小径）にし、軸部４３は、該円錐台の斜面を延長してなる斜面を有する円錐台状の外観を有したものとする。この軸部４３を前記支柱部３４に取り付けると、ちょうど一つの円錐台のようになる。そしてカバー体３８は、この円錐台の斜面に整合する末広がりの外観を持つ筒状の部材にする（ただしカバー体３８の内面と、前記円錐台の斜面との間には隙間が開く様にする）。このように構成しても、軸部３４と支柱部４３の接続部はカバー体３８により覆われるので、軸部３４と支柱部４３の間に異物を挟み込むことができない。従って軸部３４、ひいては回動部３６を支柱部４３に対して固定するのは困難である。また、カバー体３８が円錐台の斜面に沿って回動するので、カバー体３８を介して回動部３６を支柱部４３に固定するのは、発射ハンドル６４と同様に困難である。もちろん、実施例２の発射ハンドル６８を同様の形状に変更してもかまわない。
【００５２】
一般に、軸部４３、支柱部３４、およびカバー体３８の、軸部４３（回動部３６）の回動軸に垂直な断面がいずれも円形であって、特にカバー体３８の同断面は、対応する位置の軸部４３または支柱部３４の円形断面に比べ、軸部４３の回動とは関わりなく自由に回動できる程度に大きな円形にされていて、且つこのカバー体３８により、軸部３４と支柱部４３の接続部が覆われていれば、発射ハンドル６４と同様、回動部３６を支柱部４３に対して固定するのが困難な発射ハンドルとなる。
また、発射ハンドル６４，６８はいずれも、支柱部３４と発射ハンドル取り付け部４６とが別部材から構成されていたが、これらを一体に成型してもよい。
【００５３】
ここで本実施例の構成と、本発明の構成要件との対応関係を示す。支柱部３４が本発明の「基礎部」に相当し、カバー体３８および第１カバー体７７が本発明の「カバー体」に相当し、第３円筒部８８が本発明の「回動側円筒部」に相当し、第２円筒部８９が本発明の「取付側円筒部」に相当し、タッチ部４１が本発明の「操作部」に相当し、発射ハンドル取り付け部４６が本発明の「取り付け面」に相当し、タッチ部４１の右端面４１ａが本発明の「対向面」に相当し、接続部Ｐが本発明の「接続箇所」に相当する。
また、隙間Ｚは本発明の「前記第２カバー体を前記取り付け面に当接させ、且つ前記フランジを前記第２カバー体に当接させ、更に前記第３カバー体を前記フランジに当接させた状態における第３カバー体と前記対向面との間の隙間」に相当し、隙間Ｗは本発明の「同状態における前記対向面と前記回動側円筒部の間の隙間」に相当する。
【符号の説明】
【００５４】
３４：支柱部
３６：回動部
３８：カバー体
４０：ハンドル軸
４１：タッチ部
４３：軸部
４６：発射ハンドル取り付け部
５０：パチンコ機
６４、６８：発射ハンドル
７７：第１カバー体
７９：第３カバー体
８６：第２カバー体
８８：第３円筒部
８９：第２円筒部
９１：フランジ
Ｐ：接続部
【図１】
2010227212.tif 000003
【図２】
2010227212.tif 000004
【図３】
2010227212.tif 000005
【図４】
2010227212.tif 000006
【図５】
2010227212.tif 000007
【図６】
2010227212.tif 000008
【図７】
2010227212.tif 000009
【図８】
2010227212.tif 000010
【図９】
2010227212.tif 000011
【図１０】
2010227212.tif 000012
【図１１】
2010227212.tif 000013
【図１２】
2010227212.tif 000014